(57)【特許請求の範囲】
【請求項１】
支柱上端に載置支持した平面矩形乃至方形のベース上にステージフレームを設置し該ステージフレームに土壌充填及びデッキ材張設によるステージを形成するとともに該ステージの外周側端部に手摺を設置することによってガレージ等の独立構造物における緑化庭及びデッキスペースを形成自在とした平面ステージであって，上記ステージフレームを，上記ベース四周の外枠と，該外枠内に配置したステージ形態に共通の内部フレームとによって構成し，該ステージ形態に共通の内部フレームを，一対の長尺桁材，一対の短尺桁材及び上記手摺の支柱を受入固定自在とした多数の短尺梁材を備え，上記外枠の対向する構造材間に一対の長尺桁材を平行に介設固定し，該平行な長尺桁材間に一対の短尺桁材を平行に介設固定し，上記外枠の構造材と長尺桁材間及び外枠の構造材と短尺桁材間にそれぞれ所定間隔平行に多数の短尺梁材を介設固定して形成するとともに該ステージ形態に共通の内部フレームにおけるデッキスペース設置部分において上記平行な長尺桁材間に補強根太材を介設固定し且つ上記土壌充填とデッキ材張設の境界に土留用の短尺梁材を設置して，上記緑化庭設置部分の外枠の構造材，補強根太材，土留用の短尺梁材等によって形成された内部フレーム内の区画空間に保水パネルとこれを底面とする土壌を充填し，上記デッキスペース設置部分の内部フレーム上にデッキ材を載置固定して形成してなることを特徴とする独立構造物の平面ステージ。
【請求項２】
上記独立構造物及びその上面のステージフレームを，アルミ押出材を用いて構成したアルミ製のものとしてなることを特徴とする請求項１に記載の独立構造物の平面ステージ。
【請求項３】
上記独立構造物が，その上記平面ステージに上がるために設置したアルミ押出材製の階段を備えてなることを特長とする請求項１又は２に記載の独立構造物の平面ステージ。
【発明の詳細な説明】
【０００１】
【発明の属する技術分野】
本発明は，ガレージ等の独立構造物の上面に緑化庭，デッキスペース等を形成するように用いる独立構造物の平面ステージに関する。
【０００２】
【先行技術】
この種平面ステージとして本出願人は特開２０００−１６０８８１号を提案済みであり，これによれば，例えば支柱上端に載置支持した平面矩形乃至方形のベース上にステージフレームを設置し該ステージフレームに土壌充填によるステージを形成するとともに該ステージの外周側端部に手摺を設置することによって緑化庭を形成するものとされ，このとき上記ステージフレームは，これを外枠構造材による上記ベース四周の外枠と，該外枠と交差固定し又は相互に交差固定することによって該外枠内に配置した桁材，梁材等の内部構造材による内部フレームとによって構成する一方，内部フレームを，例えば多数の長尺桁材及び多数の短尺梁材のフレーム構造材を備え，長尺梁材を上記外枠の対向する外枠構造材間に平行に介設固定し，短尺梁材を外枠構造材と長尺桁材間及び短尺梁材間に所定間隔平行に介設固定して構成し，これら長尺桁材及び短尺梁材をそれぞれ上記手摺の支柱を受入固定自在の例えば断面Ｕ字状のものとしたものとされる。
【０００３】
【発明が解決しようとする課題】
この場合外周に手摺を設置して安全を確保した緑化庭の平面ステージを得ることが可能となるが，緑化庭用のものであるから，平面ステージの一部をデッキ材張設のデッキスペースとするように緑化庭とデッキスペースを混在したものとするには適当とはいえない。
【０００４】
即ちこの場合，内部構造材は例えば断面Ｕ字状のものとされるから，ステージに土壌を充填するとき，これら内部構造材の内外に土壌が充填され，内部構造材としての十分な強度を確保することができるが，デッキ材を張設する場合には，内部構造材上にデッキ材を載置固定することになるから，デッキスペースの荷重によって内部構造材が拡開する可能性を残し，特にアルミ押出材によってこの内部構造材を構成したときその可能性が増加し，内部構造材が拡開した場合，デッキ材の下支えが不十分となって，その下地構造材としての機能を必ずしも充分に果すものとならない可能性がある。
【０００５】
本発明はかかる事情に鑑みてなされたもので，その解決課題とするところは，一部を緑化庭とし他の一部をデッキ材を張設するデッキスペースとし，これらを混在したガレージ等の独立構造物の平面ステージを提供するにある。
【０００６】
【課題を解決するための手段】
上記課題に添って請求項１に記載の発明は，これを，支柱上端に載置支持した平面矩形乃至方形のベース上にステージフレームを設置し該ステージフレームに土壌充填及びデッキ材張設によるステージを形成するとともに該ステージの外周側端部に手摺を設置することによってガレージ等の独立構造物における緑化庭及びデッキスペースを形成自在とした平面ステージであって，上記ステージフレームを，上記ベース四周の外枠と，該外枠内に配置したステージ形態に共通の内部フレームとによって構成し，該ステージ形態に共通の内部フレームを，一対の長尺桁材，一対の短尺桁材及び上記手摺の支柱を受入固定自在とした多数の短尺梁材を備え，上記外枠の対向する構造材間に一対の長尺桁材を平行に介設固定し，該平行な長尺桁材間に一対の短尺桁材を平行に介設固定し，上記外枠の構造材と長尺桁材間及び外枠の構造材と短尺桁材間にそれぞれ所定間隔平行に多数の短尺梁材を介設固定して形成するとともに該ステージ形態に共通の内部フレームにおけるデッキスペース設置部分において上記平行な長尺桁材間に補強根太材を介設固定し且つ上記土壌充填とデッキ材張設の境界に土留用の短尺梁材を設置して，上記緑化庭設置部分の外枠の構造材，補強根太材，土留用の短尺梁材等によって形成された内部フレーム内の区画空間に保水パネルとこれを底面とする土壌を充填し，上記デッキスペース設置部分の内部フレーム上にデッキ材を載置固定して形成してなることを特徴とする独立構造物の平面ステージとし，請求項２に記載の発明は，これを，上記独立構造物及びその上面のステージフレームを，アルミ押出材を用いて構成したアルミ製のものとしてなることを特徴とする請求項１に記載の独立構造物の平面ステージとし，また請求項３に記載の発明は，これを，上記独立構造物が，その上記平面ステージに上がるために設置したアルミ押出材製の階段を備えてなることを特長とする請求項１又は２に記載の独立構造物の平面ステージとし，これらをそれぞれ発明の要旨として，上記課題解決の手段としたものである。
【０００７】
【発明の実施の形態】
以下図面の例に従って本発明を更に具体的に説明すれば，Ａはガレージ等の独立構造物，Ｂはその平面ステージであり，該平面ステージＢは，支柱１上端に載置支持した平面矩形乃至方形のベース２上にステージフレーム１０を設置し該ステージフレーム１０に土壌充填及びデッキ材張設によるステージを形成するとともに該ステージの外周側端部に手摺２０を設置することによって，緑化庭２２及びデッキスペース２３を形成自在としたものとしてあり，本例にあって独立構造物Ａ及びその上面のステージフレーム１０は，これを，アルミ押出材を用いて構成したアルミ製のものとしてある。
【０００８】
上記ステージフレーム１０は，これを，上記ベース四周の外枠１１と，該外枠１１内に配置したステージ形態に共通の内部フレーム１３とによって構成してあり，このとき本例にあって，該内部フレーム１３の設置高さを上記外枠１１の設置高さより少なくともデッキ材  の設置厚さ分低く設定したものとしてある。
【０００９】
上記ステージ形態に共通の内部フレーム１３は，図６に示すように，これを，一対の長尺桁材１４，一対の短尺桁材１５及び上記手摺２０の支柱２１を受入固定自在にした多数の短尺梁材１６を備え，上記外枠１１の対向する構造材１２間に一対の長尺桁材１４を平行に介設固定し，該平行な長尺桁材１４間に一対の短尺桁材１５を平行に介設固定し，上記外枠１１の構造材１２と長尺桁材１４間及び外枠１１の構造材１２と短尺桁材１５間にそれぞれ所定間隔平行に多数の短尺梁材１６を介設固定して形成したものとしてある。
【００１０】
本例において構造物Ａの各部材は，その構造物本体及び上記ステージフレーム１０を含めて可及的に共通化して，ガレージ等の独立構造物Ａを構成するとともにステージフレーム１０を構成するように，部材のシステム化を図ったものとしてある。
【００１１】
独立構造物Ａは，支柱１と上記ステージフレーム１０のベース２を備えたものとしてあり，該ベース２は，上記支柱１上に枠組みすることによって形成した桁材，梁材等の構造材によるベースフレーム３と，該ベースフレーム３に載置固定し，これをフロア面とする図示省略のフロア材と，その上面に敷設設置した防水シート８を備えたものとし，これによって上記支柱１上端に載置支持した平面矩形乃至方形にして，防水措置を施したフロアをなすベース２を形成するようにしてあり，本例にあって該構造物Ａのベースフレーム３は，それぞれ４本又は２本の複数の支柱１上に桁材４を架設固定し，該桁材４間に梁材５を介設固定するとともに桁材４の両端に交差するように両側の側桁材６を固定し，該側桁材６の両端に交差するように前後桁材７を固定し且つ上記桁材４と該前後桁材７間に同じく梁材５を介設固定することによって形成したものとしてある。
【００１２】
ベース２上に設置したステージフレーム１０は，上記外枠の構造材１２及び内部フレーム１３をなす内部構造材の上記長尺桁材１４，短尺桁材１５，短尺梁材１６を共通化してあり，これに後述の補強根太材１７及び土留用の短尺梁材１８を用いることによって，独立構造物Ａにおける緑化庭２２及びデッキスペース２３を備えたステージフレーム１０を形成するものとしてある。
【００１３】
外枠１１の構造材１２は，例えば１７乃至２０ｃｍ程度の高さを有する中空材又は板材によるものとする一方，内部フレーム１３をなす内部構造材は，例えば１０乃至１３ｃｍ程度の高さを有する中空材又は板材によるものとし，外枠１１の構造材１２と内部構造材との間に５乃至１０ｃｍ程度の高低差を形成し，該高低差によって内部フレーム１３の設置高さを外枠構造材１２による上記外枠１１の設置高さより，少なくとも上記デッキ材の設置厚さ分低く設定し，内部フレーム１３の一部にデッキ材を載置固定自在としてある。
【００１４】
本例にあって上記長尺桁材１４，短尺桁材１５は，これを中空材により構造強度を十分に確保したものとする一方，短尺梁材１６は，これを，上記手摺２０の支柱２１を受入固定自在とするＵ字受溝又は，外枠構造材１２又は他の内部構造材との間でＵ字受溝をなすＬ字受座を備えて形成するとともに上端に外側への張出フィンを備えたものとすることによって手摺支柱固定用のものとし，このとき上記長尺桁材１４，短尺桁材１５，短尺梁材１６は，これらを同一高さとし，上記内部フレーム１３に段差を生じることを回避して，デッキ材設置時に該デッキ材を面一に支持可能とするようにしてある。
【００１５】
内部フレーム１３は，その長尺桁材１４，短尺桁材１５及び短尺梁材１６の配置を，上記独立構造物Ａによって，その強度を十分に確保するものとするように部分的に変更してあり，該独立構造物Ａにあって，長尺桁材１４と短尺桁材１５とによって，長尺桁材１４を設置した外枠１１の構造材１２との間で目の字状のフレームをなすようにし，その外側に短尺梁材１６を設置することにより，例えば前後に対称形状をなすように内部構造材を配置固定するものとする一方，建物付設構造物Ａ２にあっては，建物付設側に上記目の字状のフレームを偏位するように，その長尺桁材１４の一方を外枠構造材１２によって代替するようにして建物側に該フレームを配置固定し，同じくその外側に短尺梁材１６を設置したものとしてある。
【００１６】
構造材１２による外枠１１の形成は，例えば外枠構造材１２の下端に形成した嵌合溝を，上記ベース２の側桁材６及び前後桁材７に形成した嵌合突条に嵌合し，コーナーをなす長手方向端部にコーナー部材を介して相互に固定することによって行なうようにし，外枠構造材１２と内部構造材及び内部構造材同士の固定は，例えば一方の端部を他方の長手方向中間に突き当て対接するとともに固定金具を用いて相互にネジ止めし又は各下端に設置した張出フィンを重合し，該張出フィンをネジ止めする等によって行なうようにしてある。
【００１７】
手摺２０の設置は，ステージの外周側端部に，それぞれ手摺２０長手方向と交差するように介設固定された上記短尺梁材１６に，その支柱２１を受入固定するようにし，支柱２１によって手摺本体を保持するように行なうものとし，上記短尺梁材１６による支柱２１の受入固定は，そのＵ字受溝又は他の外枠１１乃至内部フレーム１３の構造材，例えば外枠１１の構造材１２との間でＵ字受溝をなすＬ字受座に挿入するようにし，短尺梁材１６との間に固定金具を用いて相互にネジ止めしたり，短尺梁材１６の側面からネジ止めする等によって行なうようにしてあり，このとき支柱２１は短尺梁材１６の長手方向に位置可変とし得るから，手摺２０の設置位置をステージの内外方向に短尺梁材１６の長さの範囲で適宜に設定することが可能になる。
【００１８】
図７乃至１２は，独立構造物Ａにおいて，それぞれ図７と図８，図９と図１１０，図１１と図１２を対とする上記ステージ形態に共通の内部フレーム１３を用いて，該内部フレーム１３とその平面ステージＢの形態を示したもので，緑化庭２２とデッキスペース２３の配置の形態に応じて，そのデッキスペース２３設置部分において上記平行な長尺桁材１４間に補強根太材１７を介設固定し且つ上記土壌充填とデッキ材張設の境界に土留用の短尺梁材１８を設置して，上記緑化庭２２設置部分の外枠１１の構造材１２，補強根太材１７，土留用の短尺梁材１８等によって形成された内部フレーム１３内の区画空間に図示省略の保水パネルとこれを底面とする土壌を充填し，上記デッキスペース２３設置部分の内部フレーム１３上にデッキ材を載置固定して形成して，その平面ステージＢを形成したものとしてある。従って内部フレーム１３は，その構成を変更することなく更に補強根太財７によってこれを補強し，また土留用の短尺梁材１８によって緑化庭２２の土壌の崩れやこれによる土壌の凹み等を解消するようにしてある。
【００１９】
このように外枠１１と内部フレーム１３を備えて，ベース２上に設置し且つ手摺２０を備えたステージフレーム１０に，その緑化庭２２部分で，上記図示省略の保水パネルを底面とするように，これを設置して土壌，例えば人工土壌をほぼ上記外枠１１の高さまで充填し，内部フレーム１３を土壌によって被覆するようにして，これに芝生，樹木，草花等適宜の植物を植栽することによって緑化庭２２とし，またデッキスペース２３部分にデッキ材，例えばウッドデッキ材を載置固定し，これを張設することによってデッキスペース２３として，独立構造物Ａの屋上乃至上面に形成した平面ステージＢを形成するようにすればよい。
【００２０】
図中２４は，上記独立構造物Ａ１の平面ステージＢへ上るために設置した同じくアルミ押出材製の階段を示す。
【００２１】
図示した例は以上のとおりとしたが，外枠の構造材や内部フレームの構造材をスチール製，木製，強化プラスチック製等の加工又は成形材によるものとすることを含めて，独立構造物，ベース，ステージフレーム，土壌，デッキ材，手摺，外枠構造材，これによる外枠や内部フレームの構造材等の各具体的形状，構造，材質，これらの関係，これらに対する付加，平面ステージの用途等は，上記発明の要旨に反しない限り様々の形態とすることができる。
【００２２】
【発明の効果】
本発明は以上のとおりに構成したから，一部を緑化庭とし他の一部をデッキ材を張設するデッキスペースとし，これらを混在したガレージ等の独立構造物の平面ステージを提供することができるとともに平面ステージに共通の内部フレームの構造を独立構造物の上面に形成するについて十分な強度を確保し得るものとすることができ，また土壌の充填とデッキ材の張設の区画を行なって，上記支柱固定用の短尺梁材の存在しない部位で，土壌の崩れを防止する土留めを行ったものとすることができる。
【図面の簡単な説明】
【図１】  ガレージの斜視図である。
【図２】  ガレージの支柱とベースの構造を示す斜視図である。
【図３】  ガレージのベースを示す斜視図である。
【図４】  平面ステージの例を示す斜視図である。
【図５】  平面ステージの形態例を示す平面図である。
【図６】  平面ステージに共通のステージフレームの例を示す平面図である。
【図７】  平面ステージの形態例を示す平面図である。
【図８】  図７の平面ステージのステージフレームの例を示す平面図である。
【図９】  平面ステージの他の形態例を示す平面図である。
【図１０】  図９の平面ステージのステージフレームの例を示す平面図である。
【図１１】  平面ステージの他の形態例を示す平面図である。
【図１２】  図１１の平面ステージのステージフレームの例を示す平面図である。
【符号の説明】
Ａ  独立構造物
１  支柱
２  ベース
１０  ステージフレーム
１１  外枠
１３  内部フレーム
１４  長尺桁材
１５  短尺桁材
１６  短尺梁材
１７  補強根太材
１８  土留用の短尺梁材
２０  手摺
２１  支柱
２２  緑化庭
２３  デッキスペース
【図１】
0003965013.tif 000002
【図２】
0003965013.tif 000003
【図３】
0003965013.tif 000004
【図４】
0003965013.tif 000005
【図５】
0003965013.tif 000006
【図６】
0003965013.tif 000007
【図７】
0003965013.tif 000008
【図８】
0003965013.tif 000009
【図９】
0003965013.tif 000010
【図１０】
0003965013.tif 000011
【図１１】
0003965013.tif 000012
【図１２】
0003965013.tif 000013